(57)【要約】【課題】秘匿情報を当事者が占有する一方、非秘匿情報を当事者と第三者との間で共有することができる表示システム、表示方法、表示端末および表示プログラムを提供する。【解決手段】第１および第２表示端末１０，２０を有する、文書を表示するための表示システムである。第１表示端末１０は、前記文書について、第１のユーザーの閲覧を許容しない秘匿情報を表示せずに、第１のユーザーの閲覧を許容する非秘匿情報を表示する第１の表示部を有する。第２表示端末２０は、第１のユーザーの閲覧を許容せず、第１のユーザーとは異なる第２のユーザーの閲覧を許容する第２の表示部と、秘匿情報を受信する受信部と、第１の表示部に表示されている非秘匿情報を撮像するための撮像部と、を有する。前記第２の表示部は、撮像された非秘匿情報に基づき、受信された秘匿情報が、第１の表示部に表示されている非秘匿情報と位置合わせされた状態で第２のユーザーに視認されるように、受信された秘匿情報を表示する。【選択図】図１
2014219448.tif 000002
【特許請求の範囲】
【請求項１】
第１および第２表示端末を有する、文書を表示するための表示システムであって、
前記第１表示端末は、前記文書について、第１のユーザーの閲覧を許容しない秘匿情報を表示せずに、前記第１のユーザーの閲覧を許容する非秘匿情報を表示する第１の表示部を有し、
前記第２表示端末は、
前記第１のユーザーの閲覧を許容せず、前記第１のユーザーとは異なる第２のユーザーの閲覧を許容する第２の表示部と、
秘匿情報を受信する受信部と、
前記第１の表示部に表示されている非秘匿情報を撮像するための撮像部と、を有し、
前記第２の表示部は、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報を表示する
ことを特徴とする表示システム。
【請求項２】
前記第２の表示部は、光学透過型であり、前記秘匿情報を、前記第２の表示部を透過して視認される前記非秘匿情報に位置合わせして表示することを特徴とする請求項１に記載の表示システム。
【請求項３】
前記第２の表示部は、ビデオ透過型であり、撮像された前記非秘匿情報と前記秘匿情報とを位置合わせして合成した画像を表示することを特徴とする請求項１に記載の表示システム。
【請求項４】
前記第１表示端末は、
画像および／又はオブジェクトが、秘匿情報であるか否かを判断する判断部と、
前記判断部によって秘匿情報であると判断された画像および／又はオブジェクトを、秘匿情報として前記第２表示端末に送信する送信部と、
をさらに有することを特徴とする請求項１〜３のいずれか１項に記載の表示システム。
【請求項５】
前記判断部は、領域属性に応じ、秘匿情報であるか否かを判断することを特徴とする請求項４に記載の表示システム。
【請求項６】
前記第１表示端末は、前記領域属性を指定する領域属性指定部をさらに有することを特徴とする請求項５に記載の表示システム。
【請求項７】
前記第１表示端末と通信可能に接続されたサーバーをさらに有しており、
前記サーバーは、
前記領域属性を指定する領域属性指定部と、
前記領域属性指定部によって指定された前記領域属性を、前記第１表示端末に送信する送信部と、
を有することを特徴とする請求項５に記載の表示システム。
【請求項８】
前記領域属性は、文字領域、図形領域、写真領域、色、文字領域の文字領域属性、および、これらの組合せを利用して指定され、
前記文字領域属性は、見出し文字、斜線、太字および下線を含んでいることを特徴とする請求項６又は請求項７に記載の表示システム。
【請求項９】
前記第２表示端末は、ヘッドマウントディスプレイ装置であることを特徴とする請求項１〜８のいずれか１項に記載の表示システム。
【請求項１０】
第１および第２表示端末を有する、文書を表示するための表示方法であって、
前記第１表示端末における、前記文書について、第１のユーザーの閲覧を許容しない秘匿情報を表示せずに、前記第１のユーザーの閲覧を許容する非秘匿情報を表示する第１の表示部に、前記非秘匿情報を表示させるステップ（Ａ）、
前記第２表示端末の受信部によって、前記秘匿情報を受信するステップ（Ｂ）、
前記第２表示端末の撮像部によって、前記第１の表示部に表示されている前記非秘匿情報を撮像するステップ（Ｃ）、および、
前記第２表示端末における、前記第１のユーザーの閲覧を許容せず、前記第１のユーザーとは異なる第２のユーザーの閲覧を許容する第２の表示部に、受信された前記秘匿情報を表示するステップ（Ｄ）を有し、
前記ステップ（Ｄ）においては、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報が表示される
ことを特徴とする表示方法。
【請求項１１】
第１および第２表示端末を有する、文書を表示するための表示システムに適用される表示端末であって、
前記文書について、第１のユーザーの閲覧を許容しない秘匿情報を表示せずに、前記第１のユーザーの閲覧を許容する非秘匿情報を表示する第１の表示部と、
画像および／又はオブジェクトが、秘匿情報であるか否かを判断する判断部と、
前記判断部によって秘匿情報であると判断された画像および／又はオブジェクトを、秘匿情報として、第２の表示端末である端末装置に送信する送信部と、を有し、
前記端末装置は、
前記第１のユーザーの閲覧を許容せず、前記第１のユーザーとは異なる第２のユーザーの閲覧を許容する第２の表示部と、
秘匿情報を受信する受信部と、
前記第１の表示部に表示されている非秘匿情報を撮像するための撮像部と、を有し、
前記第２の表示部は、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報を表示する
ことを特徴とする表示端末。
【請求項１２】
前記判断部は、領域属性に応じ、秘匿情報であるか否かを判断することを特徴とする請求項１１に記載の表示端末。
【請求項１３】
前記領域属性を指定する領域属性指定部をさらに有することを特徴とする請求項１２に記載の表示端末。
【請求項１４】
前記表示システムは、前記領域属性を指定する領域属性指定部を有するサーバーをさらに有しており、
前記サーバーの前記領域属性指定部によって指定されかつ前記サーバーから送信される前記領域属性を、受信する受信部を、さらに有することを特徴とする請求項１２に記載の表示端末。
【請求項１５】
前記領域属性は、文字領域、図形領域、写真領域、色、文字領域の文字領域属性、および、これらの組合せを利用して指定され、
前記文字領域属性は、見出し文字、斜線、太字および下線を含んでいることを特徴とする請求項１３又は請求項１４に記載の表示端末。
【請求項１６】
第１および第２表示端末を有する、文書を表示するための表示システムに適用される表示端末の表示プログラムであって、
前記表示端末の判断部によって、画像および／又はオブジェクトが秘匿情報であるか否かを判断する手順（Ａ）、
前記表示端末における、前記文書について、第１のユーザーの閲覧を許容しない秘匿情報を表示せずに、前記第１のユーザーの閲覧を許容する非秘匿情報を表示する第１の表示部に、前記判断部によって秘匿情報でないと判断された画像および／又はオブジェクトを、非秘匿情報として表示させる手順（Ｂ）、および、
前記判断部によって秘匿情報であると判断された画像および／又はオブジェクトを、秘匿情報として、前記表示端末の送信部によって第２の表示端末である端末装置に送信する手順（Ｃ）を有する処理を、
前記表示端末に実行させ、
前記端末装置は、
前記第１のユーザーの閲覧を許容せず、前記第１のユーザーとは異なる第２のユーザーの閲覧を許容する第２の表示部と、
秘匿情報を受信する受信部と、
前記第１の表示部に表示されている非秘匿情報を撮像するための撮像部と、を有し、
前記第２の表示部は、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報を表示する
ことを特徴とする表示プログラム。
【発明の詳細な説明】
【技術分野】
【０００１】
本発明は、表示システム、表示方法、表示端末および表示プログラムに関する。
【背景技術】
【０００２】
タブレットなどの表示端末の表示部に表示される情報は、例えば、当事者（ユーザー）以外の第三者であっても表示部をのぞき込むことによって視認することが可能であり、表示部に表示される情報に第三者の閲覧を許容しない情報（秘匿情報）が含まれている場合、問題を生じる。
【０００３】
そのような問題に対し、例えば、特許文献１では、秘匿情報の画像とその他の画像とを、時分割で交互に表示することにより、時分割のタイミングに同期してシャッターの開閉を行うシャッターメガネを装着した当事者のみが、秘匿情報を視認することを可能としている。
【０００４】
また、秘匿情報の画像と、当該画像を打ち消す反対色の画像とを、異なる偏光を与えて、時分割で交互に表示することにより、時分割のタイミングに同期している偏光切替部および偏光フィルタを有するメガネを装着した当事者のみが、秘匿情報を視認することを可能としているものもある（例えば、特許文献２参照。）。
【先行技術文献】
【特許文献】
【０００５】
【特許文献１】特開２０１１−１００５５号公報
【特許文献２】特開２００９−２０４９４８号公報
【発明の概要】
【発明が解決しようとする課題】
【０００６】
しかし、第三者の閲覧を許容する情報（非秘匿情報）が存在し、第三者との間でその非秘匿情報を共有したい場合に問題を有する。例えば、特許文献１および２に記載の技術においては、時分割で異なる画像が表示部に交互に表示されるため、専用のメガネを装着していない第三者がいた場合には、その第三者は、残像効果によって秘匿情報と非秘匿情報とが交互に表示された画像を見ることになり、非秘匿情報を正確に把握することが難しいという問題を有する。
【０００７】
本発明は、上記従来技術に伴う課題を解決するためになされたものであり、秘匿情報を当事者が占有する一方、非秘匿情報を当事者と第三者との間で共有することができる表示システム、表示方法、表示端末および表示プログラムを提供することを目的とする。
【課題を解決するための手段】
【０００８】
本発明の上記目的は、下記の手段によって達成される。
【０００９】
（１）第１および第２表示端末を有する、文書を表示するための表示システムであって、
前記第１表示端末は、前記文書について、第１のユーザーの閲覧を許容しない秘匿情報を表示せずに、前記第１のユーザーの閲覧を許容する非秘匿情報を表示する第１の表示部を有し、
前記第２表示端末は、
前記第１のユーザーの閲覧を許容せず、前記第１のユーザーとは異なる第２のユーザーの閲覧を許容する第２の表示部と、
秘匿情報を受信する受信部と、
前記第１の表示部に表示されている非秘匿情報を撮像するための撮像部と、を有し、
前記第２の表示部は、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報を表示する
ことを特徴とする表示システム。
【００１０】
（２）前記第２の表示部は、光学透過型であり、前記秘匿情報を、前記第２の表示部を透過して視認される前記非秘匿情報に位置合わせして表示することを特徴とする上記（１）に記載の表示システム。
【００１１】
（３）前記第２の表示部は、ビデオ透過型であり、撮像された前記非秘匿情報と前記秘匿情報とを位置合わせして合成した画像を表示することを特徴とする上記（１）に記載の表示システム。
【００１２】
（４）前記第１表示端末は、
画像および／又はオブジェクトが、秘匿情報であるか否かを判断する判断部と、
前記判断部によって秘匿情報であると判断された画像および／又はオブジェクトを、秘匿情報として前記第２表示端末に送信する送信部と、
をさらに有することを特徴とする上記（１）〜（３）のいずれか１項に記載の表示システム。
【００１３】
（５）前記判断部は、領域属性に応じ、秘匿情報であるか否かを判断することを特徴とする上記（４）に記載の表示システム。
【００１４】
（６）前記第１表示端末は、前記領域属性を指定する領域属性指定部をさらに有することを特徴とする上記（５）に記載の表示システム。
【００１５】
（７）前記第１表示端末と通信可能に接続されたサーバーをさらに有しており、
前記サーバーは、
前記領域属性を指定する領域属性指定部と、
前記領域属性指定部によって指定された前記領域属性を、前記第１表示端末に送信する送信部と、
を有することを特徴とする上記（５）に記載の表示システム。
【００１６】
（８）前記領域属性は、文字領域、図形領域、写真領域、色、文字領域の文字領域属性、および、これらの組合せを利用して指定され、
前記文字領域属性は、見出し文字、斜線、太字および下線を含んでいることを特徴とする上記（６）又は上記（７）に記載の表示システム。
【００１７】
（９）前記第２表示端末は、ヘッドマウントディスプレイ装置であることを特徴とする上記（１）〜（８）のいずれか１項に記載の表示システム。
【００１８】
（１０）第１および第２表示端末を有する、文書を表示するための表示方法であって、
前記第１表示端末における、前記文書について、第１のユーザーの閲覧を許容しない秘匿情報を表示せずに、前記第１のユーザーの閲覧を許容する非秘匿情報を表示する第１の表示部に、前記非秘匿情報を表示させるステップ（Ａ）、
前記第２表示端末の受信部によって、前記秘匿情報を受信するステップ（Ｂ）、
前記第２表示端末の撮像部によって、前記第１の表示部に表示されている前記非秘匿情報を撮像するステップ（Ｃ）、および、
前記第２表示端末における、前記第１のユーザーの閲覧を許容せず、前記第１のユーザーとは異なる第２のユーザーの閲覧を許容する第２の表示部に、受信された前記秘匿情報を表示するステップ（Ｄ）を有し、
前記ステップ（Ｄ）においては、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報が表示される
ことを特徴とする表示方法。
【００１９】
（１１）第１および第２表示端末を有する、文書を表示するための表示システムに適用される表示端末であって、
前記文書について、第１のユーザーの閲覧を許容しない秘匿情報を表示せずに、前記第１のユーザーの閲覧を許容する非秘匿情報を表示する第１の表示部と、
画像および／又はオブジェクトが、秘匿情報であるか否かを判断する判断部と、
前記判断部によって秘匿情報であると判断された画像および／又はオブジェクトを、秘匿情報として、第２の表示端末である端末装置に送信する送信部と、を有し、
前記端末装置は、
前記第１のユーザーの閲覧を許容せず、前記第１のユーザーとは異なる第２のユーザーの閲覧を許容する第２の表示部と、
秘匿情報を受信する受信部と、
前記第１の表示部に表示されている非秘匿情報を撮像するための撮像部と、を有し、
前記第２の表示部は、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報を表示する
ことを特徴とする表示端末。
【００２０】
（１２）前記判断部は、領域属性に応じ、秘匿情報であるか否かを判断することを特徴とする上記（１１）に記載の表示端末。
【００２１】
（１３）前記領域属性を指定する領域属性指定部をさらに有することを特徴とする上記（１２）に記載の表示端末。
【００２２】
（１４）前記表示システムは、前記領域属性を指定する領域属性指定部を有するサーバーをさらに有しており、
前記サーバーの前記領域属性指定部によって指定されかつ前記サーバーから送信される前記領域属性を、受信する受信部を、さらに有することを特徴とする上記（１２）に記載の表示端末。
【００２３】
（１５）前記領域属性は、文字領域、図形領域、写真領域、色、文字領域の文字領域属性、および、これらの組合せを利用して指定され、
前記文字領域属性は、見出し文字、斜線、太字および下線を含んでいることを特徴とする上記（１３）又は上記（１４）に記載の表示端末。
【００２４】
（１６）第１および第２表示端末を有する、文書を表示するための表示システムに適用される表示端末の表示プログラムであって、
前記表示端末の判断部によって、画像および／又はオブジェクトが秘匿情報であるか否かを判断する手順（Ａ）、
前記表示端末における、前記文書について、第１のユーザーの閲覧を許容しない秘匿情報を表示せずに、前記第１のユーザーの閲覧を許容する非秘匿情報を表示する第１の表示部に、前記判断部によって秘匿情報でないと判断された画像および／又はオブジェクトを、非秘匿情報として表示させる手順（Ｂ）、および、
前記判断部によって秘匿情報であると判断された画像および／又はオブジェクトを、秘匿情報として、前記表示端末の送信部によって第２の表示端末である端末装置に送信する手順（Ｃ）を有する処理を、
前記表示端末に実行させ、
前記端末装置は、
前記第１のユーザーの閲覧を許容せず、前記第１のユーザーとは異なる第２のユーザーの閲覧を許容する第２の表示部と、
秘匿情報を受信する受信部と、
前記第１の表示部に表示されている非秘匿情報を撮像するための撮像部と、を有し、
前記第２の表示部は、撮像された前記非秘匿情報に基づき、受信された前記秘匿情報が、前記第１の表示部に表示されている前記非秘匿情報と位置合わせされた状態で前記第２のユーザーに視認されるように、受信された前記秘匿情報を表示する
ことを特徴とする表示プログラム。
【発明の効果】
【００２５】
本発明に係る表示システム、表示方法、表示端末および表示プログラムにおいては、第三者（第１のユーザー）の閲覧を許容する表示部と、第三者の閲覧を許容しない表示部とが独立し、かつ表示内容が区別されているため、秘匿情報は、第三者に対して秘密にされる一方、当事者（第２のユーザー）にとって明瞭に視認することができ、また、非秘匿情報は、当事者と同様に第三者にとっても明瞭に視認することができる。つまり、秘匿情報を当事者が占有する一方、非秘匿情報を当事者と第三者との間で共有することができる表示システム、表示方法、表示端末および表示プログラムを提供することが可能である。
【図面の簡単な説明】
【００２６】
【図１】本発明の実施の形態に係る表示システムを説明するための概略図である。
【図２】図１に示されるタブレット端末を説明するための外観図である。
【図３】図１に示されるタブレット端末を説明するためのブロック図である。
【図４】図３に示されるデータ記録部に記憶されている元画像を説明するための概念図である。
【図５】図３に示されるデータ記録部に記憶されている非秘匿情報画像を説明するための概念図である。
【図６】図３に示されるデータ記録部に記憶されている秘匿情報画像を説明するための概念図である。
【図７】タブレット端末の操作メニューを説明するための図である。
【図８】図７に示される操作メニューの拡大図である。
【図９】図１に示されるヘッドマウントディスプレイ装置を説明するための正面図である。
【図１０】図１に示されるヘッドマウントディスプレイ装置を説明するためのブロック図である。
【図１１】図９および図１０に示されるビデオカメラによる映像を説明するための概念図である。
【図１２】図９および図１０に示されるメガネ型表示部を透過する映像を説明するための概念図である。
【図１３】本体部の通信部によって受信される秘匿情報の仮想オブジェクト処理を説明するための概念図である。
【図１４】ヘッドマウントディスプレイ装置ユーザーによって視認される映像を説明するための概念図である。
【図１５】本発明の実施の形態に係る表示方法におけるタブレット端末の表示制御を説明するためのフローチャートである。
【図１６】本発明の実施の形態に係る表示方法におけるヘッドマウントディスプレイ装置の表示制御を説明するためのフローチャートである。
【図１７】本発明の実施の形態に係る表示方法における領域属性設定を説明するためのフローチャートである。
【図１８】本発明の実施の形態に係る変形例１を説明するための図である。
【図１９】本発明の実施の形態に係る変形例２を説明するための概念図である。
【図２０】本発明の実施の形態に係る変形例３を説明するための概略図である。
【図２１】図２０に示されるヘッドマウントディスプレイ装置における視認イメージを説明するための概念図である。
【発明を実施するための形態】
【００２７】
以下、本発明の実施の形態を、図面を参照しつつ説明する。
【００２８】
図１は、本発明の実施の形態に係る表示システムを説明するための概略図である。
【００２９】
本発明の実施の形態に係る表示システムは、第三者の閲覧を許容する非秘匿情報および第三者の閲覧を許容しない秘匿情報を表示するために適用され、図１に示されるように、タブレット端末１０、ヘッドマウントディスプレイ装置（ＨＭＤ）２０およびネットワーク３０を有する。本実施の形態においては、当事者は、ヘッドマウントディスプレイ装置２０を利用しているユーザー（ヘッドマウントディスプレイ装置ユーザーと称することがある）であり、タブレット端末を利用しているユーザー（タブレット端末ユーザーと称することがある）を兼ねている。なお、当事者は、タブレット端末ユーザーを兼ねている形態に限定されず、ヘッドマウントディスプレイ装置２０を装着しているが、タブレット端末１０を操作しないユーザーも含まれる。
【００３０】
ネットワーク３０は、イーサネット（登録商標）、トークンリング、およびＦＤＤＩ（Ｆｉｂｅｒ−Ｄｉｓｔｒｉｂｕｔｅｄ  Ｄａｔａ  Ｉｎｔｅｒｆａｃｅ）等の規格によりコンピューターやネットワーク機器同士を接続する構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組み合わせ等の各種のネットワークからなる。ネットワークプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００３１】
タブレット端末１０およびヘッドマウントディスプレイ装置２０は、無線ＬＡＮのインフラストラクチャモードを利用し、ネットワーク３０に存在するアクセスポイントを経由して、通信可能に接続されている。タブレット端末１０およびヘッドマウントディスプレイ装置２０のネットワーク３０への接続は、有線ＬＡＮを利用することも可能である。
【００３２】
また、無線ＬＡＮのアドホックモードを利用し、タブレット端末１０とヘッドマウントディスプレイ装置２０とを、直接接続することも可能である。さらに、直接接続は、２．４ＧＨｚ帯の電波を利用するＢｌｕｅｔｏｏｔｈ（登録商標）等による無線通信や、ＵＳＢ（Ｕｎｉｖｅｒｓａｌ  Ｓｅｒｉａｌ  Ｂｕｓ）等のシリアルインタフェースやＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１２８４等のパラレルインタフェース等による有線接続を、適用することも可能である。
【００３３】
次に、タブレット端末１０の構成を詳述する。
【００３４】
図２は、図１に示されるタブレット端末を説明するための外観図、図３は、図１に示されるタブレット端末を説明するためのブロック図、図４、図５および図６は、図２に示されるデータ記録部に記憶されている元画像、非秘匿情報画像および秘匿情報画像を説明するための概念図、図７は、タブレット端末の操作メニューを説明するための図、図８は、図７に示される操作メニューの拡大図である。
【００３５】
タブレット端末１０は、図３に示されるように、システム制御部１１、データ記録部１２、操作部１３、表示処理部１４、表示装置１５、通信部１６、入力情報処理部１７および入力装置１８を有する。
【００３６】
システム制御部１１は、プログラムにしたがって上記各部の制御や各種の演算処理を実行するマイクロプロセッサ等から構成される制御回路である。
【００３７】
データ記録部１２は、各種プログラムおよび各種データを記憶（格納）するために使用され、ＲＯＭ（リードオンリーメモリー）、ＲＡＭ（ランダムアクセスメモリー）、書き換え可能な不揮発性半導体メモリー（例えば、フラッシュメモリー）等が適宜組み合されて構成されている。例えば、ＲＯＭに記憶されているプログラムは、システム制御部１１（マイクロプロセッサ）により必要に応じて読み出され、実行処理される。そのときに、ＲＡＭは、プログラムおよびプログラムの実行に必要なデータを一時記憶する作業領域として使用される。
【００３８】
プログラムは、例えば、システム制御部１１によって実行される表示プログラム１２Ａ、画像判断プログラム（判断部）１２Ｂ、領域属性設定プログラム（領域属性指定部）１２Ｃおよび描画処理プログラム１２Ｄを含む。
【００３９】
表示プログラム１２Ａは、表示装置１５に非秘匿情報を表示する一方、秘匿情報であると判断された画像をヘッドマウントディスプレイ装置２０に送信するために使用される。画像判断プログラム１２Ｂは、領域属性（詳細は後述する）に応じ、画像が非秘匿情報あるいは秘匿情報であるかを判断するために使用される。領域属性設定プログラム１２Ｃは、領域属性を指定するために使用される。描画処理プログラム１２Ｄは、例えば、ＲＩＰ処理（ラスタライズ処理：Ｒａｓｔｅｒ  Ｉｍａｇｅ  Ｐｒｏｃｅｓｓｉｎｇ）によって、文書データをビットマップデータ（画像データ）に変換するために使用される。なお、図３の例では、表示プログラム１２Ａ、領域属性設定プログラム（領域属性指定部）１２Ｂ、画像判断プログラム（判断部）１２Ｃおよび描画処理プログラム１２Ｄを、それぞれ個別のプログラムとして記載しているが、それら４つのプログラムに対応する全ての機能を実現する１つのプログラムであってもよい。例えば、表示プログラム１２Ａが上記４つのプログラムに対応する全ての機能を実現しても良い。
【００４０】
データは、表示プログラム１２Ａの実行に必要な画像データ等を含んでいる文書データや、領域属性設定プログラム１２Ｃを利用して指定された領域属性の設定である。
【００４１】
データ記録部１２に記録される文書データは、本実施の形態においては、ネットワーク３０を経由して取得され、例えば、ＰｏｓｔＳｃｒｉｐｔ（登録商標）やＰＣＬ（Ｐｒｉｎｔｅｒ  Ｃｏｎｔｒｏｌ  Ｌａｎｇｕａｇｅ）等のＰＤＬ（ページ記述言語：Ｐａｇｅ  Ｄｅｓｃｒｉｐｔｉｏｎ  Ｌａｎｇｕａｇｅ）の形式で作成されたデータである。文書データは、プレーンテキストやＰＤＦ（Ｐｏｒｔａｂｌｅ  Ｄｏｃｕｍｅｎｔ  Ｆｏｒｍａｔ）等の文書フォーマットや、ＥＰＵＢ（ｅｌｅｃｔｒｏｎｉｃ  ｐｕｂｌｉｃａｔｉｏｎ）等の電子書籍専用フォーマットを利用して作成されるデータを適用することも可能である。
【００４２】
文書データは、ネットワーク３０を経由して取得する形態に限定されず、タブレット端末１０において作成することも可能である。また、タブレット端末１０にメモリーカードインターフェースを組み込むことで、メモリーカードに記憶された文書データをタブレット端末１０で利用することも可能である。メモリーカードは、例えば、ＳＤメモリーカード、ｍｉｃｒｏＳＤカード、ＵＳＢメモリー（ＵＳＢフラッシュメモリー）、メモリースティック（登録商標）、コンパクトフラッシュである。
【００４３】
画像データには、図４に示される元画像（通常画像）４０、図５に示される非秘匿情報４２および図６に示される秘匿情報４４が含まれる。元画像は、データ記録部１２に記録された文書データ、またはタブレット端末１０において作成・編集された文書データに基づいた画像であり、非秘匿情報４２と秘匿情報４４のもととなるデータである。非秘匿情報４２は、元画像のうち第三者と共有される情報であり、第三者の閲覧が許容される。秘匿情報４４は、元画像のうち、非秘匿情報４２と関連付けられかつ第三者の閲覧が許容されない情報であり、ヘッドマウントディスプレイ装置を装着するユーザー（以降、ヘッドマウントディスプレイ装置ユーザーまたはＨＭＤユーザーと称することがある）にのみ閲覧が許容される情報である。
【００４４】
本実施の形態において、非秘匿情報４２および秘匿情報４４は、元画像４０から抽出されており、元画像４０は、非秘匿情報４２と秘匿情報４４とを合成した画像であると定義することも可能である。また、元画像４０、非秘匿情報４２および秘匿情報４４を、個別に用意することも可能である。
【００４５】
領域属性は、元画像４０に含まれる画像が、非秘匿情報４２であるか秘匿情報４４であるかを判断するために使用され、例えば、文字領域、図形領域、写真領域、色、文字領域の文字領域属性、および、これらを組合せた属性である。文字領域属性は、見出し文字、斜線、太字および下線を含んでいる。
【００４６】
操作部１３は、キースイッチ１９Ａ〜１９Ｂ（図２参照）および表示装置１５と一体化されたタッチパネルによって構成される。キースイッチ１９Ａ〜１９Ｂおよびタッチパネルは、例えば、表示内容の切り替え、操作メニューの表示、領域属性の設定を実行するため、タブレット端末ユーザーによって操作される。タッチパネルの方式は特に限定されず、静電容量方式や、抵抗膜方式を適用することが可能である。
【００４７】
表示処理部１４は、システム制御部１１からの指令により、描画処理プログラムを実行し、文書データをビットマップデータに変換し、表示装置１５に入力して表示させるために使用される。
【００４８】
表示装置１５は、電気泳動方式の電子ペーパーからなる表示部であり、表示更新時に電力を消費するが、電力を消費せずに表示内容を保持することが可能である。表示装置１５は、液晶ディスプレイ、有機ＥＬ（Ｅｌｅｃｔｒｏ−Ｌｕｍｉｎｅｓｃｅｎｃｅ）ディスプレイ等によって構成することも可能である。
【００４９】
表示装置１５には、図５に示される非秘匿情報４２や、図７に示される操作メニュー５０が表示される。なお、秘匿情報４４については、元画像４０が文書データのページである場合に、ページの一部を秘匿情報４４とするだけでなく、ページの全てを秘匿情報４４とすることも可能であり、この場合、表示装置１５には、非秘匿情報４２として白紙（ブランク）が表示される。
【００５０】
操作メニュー５０は、領域属性の設定するために使用され、図８に示されるように、ボタン（チェックボックス）５２、５４Ａ、５４Ｂおよび５４Ｃを有する。より具体的には、操作メニュー５０は、元画像に含まれる情報のうちのどの情報を秘匿情報とするか（どの情報をタブレット端末１０で非表示とするか）を判断するための条件を設定するために使用される。
【００５１】
ボタン５２は、タブレット端末１０で非表示にする情報をタブレット端末ユーザーが手動で指定するときに選択される。具体的には、元画像がタブレット端末に表示された状態で、タブレット端末ユーザーが矩形や円などの閉領域をスタイラスペン（ペン型ポインティングデバイス）１８Ａで入力することにより、その閉領域に含まれる情報を秘匿情報として指定する場合に、ボタン５２が選択される。
【００５２】
ボタン５４Ａ、５４Ｂおよび５４Ｃは、文字領域、図形領域および写真領域に対応し、タブレット端末１０で非表示にする画像領域の種類を指定するときに選択される。例えば、文字領域に対応するボタン５４Ａが選択されたときには、元画像に含まれる全ての文字領域が、秘匿情報として指定されてタブレット端末１０で非表示となる。
【００５３】
なお、ボタン５２と、ボタン５４Ａ、５４Ｂおよび５４Ｃのいずれかとが同時に選択された場合には、タブレット端末ユーザーが手動で指定した領域と、選択された画像領域の種類に対応する領域との両方が、秘匿情報として指定されてタブレット端末１０で非表示となる。
【００５４】
通信部１６は、ネットワーク３０を経由してヘッドマウントディスプレイ装置２０に接続し、データの送受信を実行するための無線通信機能を有する送信および受信部である。ヘッドマウントディスプレイ装置２０に送信されるデータは、秘匿情報４４（図６参照）である。
【００５５】
入力情報処理部１７は、入力装置１８が接続されており、入力装置１８からのデータを処理する。
【００５６】
入力装置１８は、操作部１３と兼用されるタッチパネルおよび上述のスタイラスペン１８Ａを有しており、タブレット端末ユーザーによる入力に利用される。入力装置１８は、物理キーボードや、表示装置１５に表示されるソフトウェアキーボードを利用することも可能である。物理キーボードは、例えば、表示装置１５の下方に配置される指令ボタン、テンキー、方向キー（カーソルキー）によって構成される。また、スタイラスペン１８Ａの代わりに、タブレット端末ユーザーの指や別のポインティングデバイスを適用することも可能である。
【００５７】
次に、ヘッドマウントディスプレイ装置２０の構成を詳述する。
【００５８】
図９は、図１に示されるヘッドマウントディスプレイ装置２０を説明するための正面図、図１０は、図１に示されるヘッドマウントディスプレイ装置を説明するためのブロック図、図１１および図１２は、図９および図１０に示されるビデオカメラによる映像およびメガネ型表示部を透過する映像を説明するための概念図、図１３は、本体部の通信部によって受信される秘匿情報の仮想オブジェクト処理を説明するための概念図、図１４は、ヘッドマウントディスプレイ装置ユーザーによって視認される映像を説明するための概念図である。
【００５９】
ヘッドマウントディスプレイ装置２０は、光学透過型（光学シースルー、Ｏｐｔｉｃａｌ  Ｓｅｅ−Ｔｈｒｏｕｇｈ）であり、図９に示されるように、ビデオカメラ２１、本体部２２およびメガネ型表示部２７を有し、非秘匿情報４２および秘匿情報４４を、ＨＭＤユーザー（装着者）に視認させるために使用される。
【００６０】
ビデオカメラ２１は、メガネ型表示部２７に隣接して配置されており、ＨＭＤユーザーが実際に見ている現実空間（外の様子）を撮像するための撮像部であり、図１１に示されるように、タブレット端末１０の表示装置１５に表示されている非秘匿情報４２を取得するために使用される。なお、ビデオカメラ２１は、ディスプレイ装置が備える、ＨＭＤユーザーの視点を検知するセンサー（不図示）からＨＭＤユーザーの視点情報を取得し、ＨＭＤユーザーの視点に対応する映像を撮影することにより、ＨＭＤユーザーが実際に見ている現実空間の映像を取得する。
【００６１】
本体部２２は、図１０に示されるように、システム制御部２３、データ記録部２４、通信部２５および画像処理部２６を有する。
【００６２】
システム制御部２３は、プログラムにしたがって上記各部の制御や各種の演算処理を実行するマイクロプロセッサ等から構成される制御回路である。
【００６３】
データ記録部２４は、各種プログラムおよび各種データを記憶するために使用され、ＲＯＭ（リードオンリーメモリー）、ＲＡＭ（ランダムアクセスメモリー）、書き換え可能な不揮発性半導体メモリー（例えば、フラッシュメモリー）等が適宜組み合されて構成されている。例えば、ＲＯＭに記憶されているプログラムは、システム制御部２３（マイクロプロセッサ）により必要に応じて読み出され、実行処理される。そのときに、ＲＡＭは、プログラムおよびプログラムの実行に必要なデータを一時記憶する作業領域として使用される。プログラムは、例えば、システム制御部２３によって実行される表示プログラム２４Ａである。
【００６４】
表示プログラム２４Ａは、ＨＭＤユーザーに、タブレット端末１０から送信される秘匿情報４４と、現実空間（非秘匿情報４２）とを重ね合わせて見せるためのプログラムである。具体的には、表示プログラム２４Ａは、後述する画像処理部２６と協働して、ビデオカメラ２１によって撮像された現実空間の映像（タブレット端末１０の表示装置１５の映像）に基づいて、メガネ型表示部２７における秘匿情報４４の表示位置等を算出し、ＨＭＤユーザーに秘匿情報４４と現実空間（非秘匿情報４２）とを重ね合わせて見せる。ＨＭＤユーザーは、秘匿情報４４と現実空間（非秘匿情報４２）とを重ね合わせて見ることで、元画像を見ているのと同じ状態で文書データの内容を確認することができる。
【００６５】
通信部２５は、ネットワーク３０を経由してタブレット端末１０に接続し、データの送受信を実行するための無線通信機能を有する送信および受信部である。受信データは、タブレット端末１０から送信される秘匿情報４４（図６参照）である。
【００６６】
画像処理部２６は、受信した秘匿情報４４に対して仮想オブジェクト処理を実行するために使用される。
【００６７】
仮想オブジェクト処理は、虚画像を生成するＡＲ（拡張現実）技術を利用し、ビデオカメラ２１によって撮像されたタブレット端末１０の表示装置１５の映像に重畳した場合に、秘匿情報４４が映像に含まれる非秘匿情報４２と正しく関連付けられるように、秘匿情報４４を変換する処理である。
【００６８】
例えば、映像における非秘匿情報４２の形状およびサイズに応じて、秘匿情報４４の形状およびサイズを調整したり、映像における非秘匿情報４２の位置（座標）に応じて、秘匿情報４４の位置を調整したりすることにより、秘匿情報４４が位置合わせされる。
【００６９】
メガネ型表示部２７は、例えば、光学多層膜のハーフミラーやプリズムを有しており、画像処理部２６によって仮想オブジェクト処理された秘匿情報４４（図１３参照）を表示すると共に、現実空間をシースルーで見ることが可能に構成されている。
【００７０】
メガネ型表示部２７を透過して視認される現実空間（図１２参照）は、ビデオカメラ２１による映像に対応しており、かつ、メガネ型表示部２７に表示される秘匿情報４４は、仮想オブジェクト処理が実行されている（図１３参照）。
【００７１】
したがって、メガネ型表示部２７を透過して視認される非秘匿情報４２に、秘匿情報４４が位置合わされて合成されたように、秘匿情報４４がメガネ型表示部２７に表示される。つまり、図１４に示されるように、ＨＭＤユーザーは、非秘匿情報４２に関連付けられた秘匿情報４４が、正しい位置関係で、タブレット端末１０の表示装置１５に表示されている画像を、視認することが可能であり、元画像を見ているのと同じ状態で文書データの内容を確認することができる。
【００７２】
ヘッドマウントディスプレイ装置２０は、光学透過型に限定されず、ビデオ透過型（ビデオシースルー型）を適用することも可能であり、この場合、メガネ型表示部２７は、現実空間の映像を透過しないため、メガネ型表示部２７には、ビデオカメラ２１による映像に仮想オブジェクト処理された秘匿情報４４が位置合わせして合成された画像が、表示される。
【００７３】
次に、本発明の実施の形態に係る表示方法を説明する。
【００７４】
図１５は、本発明の実施の形態に係る表示方法におけるタブレット端末の表示制御を説明するためのフローチャートである。なお、図１５に示されるフローチャートにより示されるアルゴリズムは、データ記録部１２に、画像判断プログラム１２Ｂが組み込まれた表示プログラム１２Ａとして記憶されており、システム制御部１１によって実行される。
【００７５】
タブレット端末１０においては、まず、表示モードが取得される（ステップＳ０１）。表示モードは、元画像４０に秘匿情報が含まれている非共有モードおよび元画像４０に秘匿情報が含まれていない（第三者の閲覧を許容する非秘匿情報のみからなる）共有モードを含んでいる。
【００７６】
そして、取得された表示モードが非共有モードであるか否かが判断される（ステップＳ０２）。
【００７７】
取得された表示モードが非共有モードであると判断される場合（ステップＳ０２：ＹＥＳ）、領域属性に基づいて、データ記録部１２に記憶されている非秘匿情報４２が読み出され、表示装置１５に表示される（ステップＳ０４）。その後、データ記録部１２に記憶されている秘匿情報４４が読み出され、通信部１６によって、ネットワーク３０を経由してヘッドマウントディスプレイ装置２０に送信され（ステップＳ０５）、プロセスは、終了する。
【００７８】
一方、取得された表示モードが非共有モードでないと判断される場合（ステップＳ０２：ＮＯ）、データ記録部１２に記憶されている元画像４０が読み出され、表示装置１５に表示され（ステップＳ０３）、プロセスは、終了する。
【００７９】
タブレット端末１０においては、上記にように、非秘匿情報（共有モードにおける元画像４０および非共有モードにおける非秘匿情報４２）は、第三者の閲覧を許容する表示装置１５に表示されるため、当事者と同様に第三者にとっても明瞭に視認することができる。したがって、非秘匿情報（共有モードにおける元画像４０および非共有モードにおける非秘匿情報４２）を当事者と第三者との間で共有することが可能である。
【００８０】
なお、元画像４０、非秘匿情報４２および秘匿情報４４は、データ記録部１２に予め記憶しておく形態に限定されない。例えば、元画像４０を、非秘匿情報４２と秘匿情報４４とから合成したり、非秘匿情報４２を表示装置１５に表示する際に、領域属性に基づいて非秘匿情報４２を元画像４０から抽出したり、秘匿情報４４をヘッドマウントディスプレイ装置２０に送信する際に、領域属性に基づいて非秘匿情報４２を元画像４０から抽出したりすることも可能である。
【００８１】
次に、ヘッドマウントディスプレイ装置の動作を説明する。
【００８２】
図１６は、本発明の実施の形態に係る表示方法におけるヘッドマウントディスプレイ装置の表示制御を説明するためのフローチャートである。なお、図１６に示されるフローチャートにより示されるアルゴリズムは、データ記録部２４に表示プログラム２４Ａとして記憶されており、システム制御部２３によって実行される。
【００８３】
ヘッドマウントディスプレイ装置２０においては、まず、ネットワーク３０を経由し、タブレット端末１０から送信された秘匿情報４４が、本体部２２の通信部によって受信され（ステップＳ１１）、また、ＨＭＤユーザーが実際に見ている現実空間の映像が、ビデオカメラ２１によって取得される（ステップＳ１２）。現実空間の映像には、タブレット端末１０の表示装置１５の画像が含まれている。
【００８４】
そして、秘匿情報４４に対する仮想オブジェクト処理が実行される（ステップＳ１３）。これにより、秘匿情報４４は、メガネ型表示部２７を透過した現実空間の映像に含まれる非秘匿情報（タブレット端末１０の表示装置１５に表示されている非秘匿情報）４２に重畳した際に整合性が確保されるように変換される。
【００８５】
仮想オブジェクト処理によって変換された秘匿情報４４は、メガネ型表示部２７に表示され（ステップＳ１４）、プロセスは、終了する。この際、ＨＭＤユーザーは、メガネ型表示部２７を透過した現実空間の映像と、仮想オブジェクト処理によって変換された秘匿情報４４とが重畳した画像を視認することとなる。つまり、ＨＭＤユーザーは、非秘匿情報４２および秘匿情報４４がタブレット端末１０の表示装置１５に表示されている映像を視認することが可能であり、元画像を見ているのと同じ状態で文書データの内容を確認することができる。
【００８６】
ヘッドマウントディスプレイ装置２０においては、上記のように、秘匿情報４４は、第三者の閲覧を許容しないメガネ型表示部２７に表示されるため、当事者にとって明瞭に視認することができる一方、第三者に対して秘密にされる。したがって、秘匿情報を当事者が占有することが可能である。
【００８７】
次に、タブレット端末の領域属性設定動作を説明する。
【００８８】
図１７は、本発明の実施の形態に係る表示方法における領域属性設定を説明するためのフローチャートである。なお、図１７に示されるフローチャートにより示されるアルゴリズムは、データ記録部１２に領域属性設定プログラム１２Ｃとして記憶されており、システム制御部１１によって実行される。
【００８９】
元画像に含まれる情報のうちのどの情報を秘匿情報とするか（どの情報をタブレット端末１０で非表示とするか）を判断するための条件を設定するため、タブレット端末１０においては、まず、タブレット端末ユーザーのスタイラスペン１８Ａによる指示に従い、操作メニューの領域属性設定表示画面５０（図７および図８参照）が表示され（ステップＳ２１）、ボタン５２および５４Ａ〜５４Ｃを利用した領域属性の設定変更が受け付けられる（ステップＳ２２）。そして、設定変更が、指定解除（非共有モードから共有モードへの変更）を意味するか否かが判断される（ステップＳ２３）。
【００９０】
ボタン５２あるいは５４Ａ〜５４Ｃのチェックが外されることにより、設定変更が指定解除を意味すると判断される場合（ステップＳ２３：ＹＥＳ）、秘匿情報に含まれる情報のうち指定が解除された情報が非秘匿情報に変更される（ステップＳ２４）。具体的には、ボタン５２を使用して閉領域によって非表示にすると以前に指定されていた情報、および、５４Ａ〜５４Ｃを使用して非表示にすると以前に指定されていた画像領域の種類に対応するオブジェクト（文字領域、図形領域、写真領域）のうち、指定が解除された情報が、非秘匿情報に変更される。そして、プロセスは、終了する。これにより、秘匿情報に含まれる情報のうち指定が解除された情報は、非秘匿情報としてタブレット端末１０の表示装置１５に表示される。
【００９１】
設定変更が指定解除を意味しないと判断される場合（ステップＳ２３：ＮＯ）、設定変更が閉領域指定を意味するか否かが判断される（ステップＳ２５）。
【００９２】
ボタン５２にチェックが付加されることにより、設定変更が閉領域指定を意味すると判断される場合（ステップＳ２５：ＹＥＳ）、例えば、スタイラスペン１８Ａの軌跡によって指定される閉領域が取得される（ステップＳ２６）。そして、指定された閉領域の内部に位置する画像（閉領域に含まれる情報）が、秘匿情報に設定され（ステップＳ２７）、プロセスは、終了する。これにより、指定された閉領域の内部に位置する画像は、タブレット端末１０の表示装置１５に表示されず、秘匿情報としてヘッドマウントディスプレイ装置２０に送信されることになる。
【００９３】
設定変更が閉領域指定を意味しない（設定変更がオブジェクト指定を意味する）と判断される場合（ステップＳ２５：ＮＯ）、ボタン５４Ａ〜５４Ｃにチェックを付加することにより選択された画像領域の種類に対応するオブジェクト（文字領域、図形領域、写真領域）が取得される（ステップＳ２８）。そして、選択された画像領域の種類に対応するオブジェクトが、秘匿情報に設定され（ステップＳ２９）、プロセスは、終了する。これにより、選択された画像領域の種類に対応するオブジェクトは、タブレット端末１０の表示装置１５に表示されず、秘匿情報としてヘッドマウントディスプレイ装置２０に送信されることになる。
【００９４】
なお、領域属性の設定対象は、タブレット端末１０の表示装置１５に目下表示されている画像に含まれているオブジェクト等に限定されず、当該画像を含んでいる文書データ全体としたり、文書データの一部（複数ページ）としたりすることも可能である。
【００９５】
次に、本発明の実施の形態に係る変形例１〜３を順次説明する。
【００９６】
図１８は、本発明の実施の形態に係る変形例１を説明するための図である。
【００９７】
操作メニューの領域属性設定表示画面は、図８に示される形態に限定されず、例えば、図１８に示されるように、非表示にする文字領域の属性を細分化して選択するためのボタン５６Ａ〜５６Ｄを配置したり、色指定によってオブジェクトを選択するためのボタン５８Ａ〜５８Ｄを配置したりすることも可能である。なお、ボタン５６Ａ、５６Ｂ、５６Ｃおよび５６Ｄは、見出し文字、斜線、太字および下線に対応し、ボタン５８Ａ、５８Ｂ、５８Ｃおよび５８Ｄは、赤、緑、青および黒に対応している。文字領域の属性を細分化する単位や色を細分化する単位は、上記構成に限定されない。
【００９８】
例えば、５６Ａ、５６Ｂ、５６Ｃおよび５６Ｄのうちボタン５６Ａのみが選択された場合には、文字領域に含まれる情報のうち見出し文字のみが秘匿情報となる。また、上記の状況で、ボタン５６Ａに加えボタン５８Ａが更に選択された場合には、見出し文字のうちの赤色の文字のみが秘匿情報となる。上記以外の組み合わせについても同様であり、説明は省略する。
【００９９】
図１９は、本発明の実施の形態に係る変形例２を説明するための概念図である。
【０１００】
領域属性設定は、タブレット端末１０において実行する形態に限定されず、図１９に示されるように、ネットワーク３０に接続されたサーバー（ホストコンピューター）６０において実行することも可能である。この場合、サーバー６０は、ネットワーク３０に接続された通信部（送信部）６２および領域属性設定プログラム６４を有しており、例えば、図１８に示される領域属性設定表示画面５０Ａを使用してサーバー６０において指定（選択）された領域属性設定が、ネットワーク３０を経由して、クライアントとなるタブレット端末１０に送信される。
【０１０１】
図２０は、本発明の実施の形態に係る変形例３を説明するための概略図、図２１は、図２０に示されるタブレット端末およびヘッドマウントディスプレイ装置における視認イメージを説明するための概念図である。
【０１０２】
本実施の形態に係る表示システムは、図２０に示されるように、複数のヘッドマウントディスプレイ装置２０，２０Ａ，２０Ｂを有することも可能である。この場合、元画像４０に含まれる複数の秘匿情報４４Ａ〜４４Ｃから選択された（異なる）秘匿情報が、ヘッドマウントディスプレイ装置２０，２０Ａ，２０Ｂにそれぞれ送信されることになる。
【０１０３】
例えば、図２１に示される例においては、ＨＭＤユーザーは、秘匿情報４４Ａ、秘匿情報４４Ｃおよび非秘匿情報４２が重畳された画像を視認し、ヘッドマウントディスプレイ装置２０Ａのユーザーは、秘匿情報４４Ｂ、秘匿情報４４Ｃおよび非秘匿情報４２が重畳された画像を視認し、ヘッドマウントディスプレイ装置２０Ｂのユーザーは、秘匿情報４４Ｂおよび非秘匿情報４２が重畳された画像を視認することになる。なお、必要に応じ、ヘッドマウントディスプレイ装置２０，２０Ａ，２０Ｂに対して同一の秘匿情報を送信することも可能である。
【０１０４】
以上のように、本実施の形態においては、第三者の閲覧を許容する表示部と、第三者の閲覧を許容しない表示部とが独立し、かつ表示内容が区別されているため、秘匿情報は、第三者に対して秘密にされる一方、当事者にとって明瞭に視認することができ、また、非秘匿情報は、当事者と同様に第三者にとっても明瞭に視認することができる。つまり、秘匿情報を当事者が占有する一方、非秘匿情報を当事者と第三者との間で共有することが可能である。
【０１０５】
本発明は、上述した実施の形態に限定されるものではなく、特許請求の範囲で種々改変することができる。例えば、第１表示端末は、タブレット端末に限定されず、ノートブックコンピューターを適用したり、デスクトップコンピューターを適用したりすることも可能である。また、第２表示端末は、ヘッドマウントディスプレイ装置に限定されず、カメラ付きタブレット端末やカメラ付き携帯端末を適用することも可能である。
【０１０６】
本発明に係る手段、方法およびプログラムは、専用のハードウェア回路によっても実現することも可能である。また、プログラムされた表示端末によって本発明を実現する場合、表示端末を動作させるプログラムは、ＵＳＢメモリーやＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供したり、記録媒体によらず、インターネット等のネットワークを介してオンラインで提供したりすることも可能である。この場合、プログラムは、通常、表示端末のデータ記録部に送信されて記憶される。また、プログラムは、単独のアプリケーションソフトウェアとして提供されてもよいし、表示端末の一機能として、表示端末のソフトウェアに組み込むことも可能である。
【符号の説明】
【０１０７】
１０  タブレット端末、
１１  システム制御部（マイクロプロセッサ）、
１２  データ記録部、
１２Ａ  表示プログラム、
１２Ｂ  画像判断プログラム（判断部）、
１２Ｃ  領域属性設定プログラム（領域属性指定部）、
１２Ｄ  描画処理プログラム、
１３  操作部、
１４  表示処理部、
１５  表示装置、
１６  通信部（送信および受信部）、
１７  入力情報処理部、
１８  入力装置、
１８Ａ  スタイラスペン（ペン型ポインティングデバイス）、
１９Ａ，１９Ｂ，１９Ｃ  キースイッチ、
２０，２０Ａ，２０Ｂ  ヘッドマウントディスプレイ装置、
２１  ビデオカメラ、
２２  本体部、
２３  システム制御部（マイクロプロセッサ）、
２４  データ記録部、
２４Ａ  表示プログラム、
２５  通信部（送信および受信部）、
２６  画像処理部、
２７  メガネ型表示部、
３０  ネットワーク、
４０  元画像（通常画像）、
４２  非秘匿情報画像、
４４，４４Ａ，４４Ｂ，４４Ｃ  秘匿情報画像、
５０，５０Ａ  操作メニュー（領域属性設定表示画面）、
５２  ボタン（チェックボックス）、
５４Ａ，５４Ｂ，５４Ｃ  ボタン、
５６Ａ，５６Ｂ，５６Ｃ，５６Ｄ  ボタン、
５８Ａ，５８Ｂ，５８Ｃ，５８Ｄ  ボタン、
６０  サーバー、
６２  通信部（送信部）、
６４  領域属性設定プログラム。
【図１】
2014219448.tif 000003
【図２】
2014219448.tif 000004
【図３】
2014219448.tif 000005
【図４】
2014219448.tif 000006
【図５】
2014219448.tif 000007
【図６】
2014219448.tif 000008
【図７】
2014219448.tif 000009
【図８】
2014219448.tif 000010
【図９】
2014219448.tif 000011
【図１０】
2014219448.tif 000012
【図１１】
2014219448.tif 000013
【図１２】
2014219448.tif 000014
【図１３】
2014219448.tif 000015
【図１４】
2014219448.tif 000016
【図１５】
2014219448.tif 000017
【図１６】
2014219448.tif 000018
【図１７】
2014219448.tif 000019
【図１８】
2014219448.tif 000020
【図１９】
2014219448.tif 000021
【図２０】
2014219448.tif 000022
【図２１】
2014219448.tif 000023